(57)【要約】【課題】ＩＨ調理器による加熱調理後に廃棄される使い捨て用途のＩＨ調理器用発熱シートを提供する。【解決手段】導電体層３と誘電体層５との積層シートからなるＩＨ調理器用発熱シート１であって、前記積層シートは、底部１０と周状側壁部１３とを有し、且つ導電体層３を内面とする容器Ａの形状に折り込み可能となっており、折り込みにより形成される容器Ａの周状側壁部１３となる部分の導電体層３には、容器Ａの高さ方向に延びる第１のカットライン７が、周方向に間隔を置いて複数本形成されており、該カットライン７がＩＨ調理器の誘導加熱により生成する渦電流の誘起を低減、或いは遮断すると共に、容器Ａの底部周縁に相当する部分の誘電体層５には、誘電体材料により形成された補強リング２０が固定されており、該補強リング２０により、容器Ａの形態が保持されることを特徴とする。【選択図】図２
2015142703.tif 000002
【特許請求の範囲】
【請求項１】
導電体層と誘電体層との積層シートからなるＩＨ調理器用発熱シートであって、
前記積層シートは、底部と周状側壁部とを有し、且つ前記導電体層を内面とする容器形状に折り込み可能となっており、
前記積層シートを折り込んで形成される容器の前記周状側壁部に相当する部分の前記導電体層には、該容器の高さ方向に延びる第１のカットラインが、周方向に間隔を置いて複数本形成されており、該カットラインがＩＨ調理器の誘導加熱により生成する渦電流の誘起を低減、或いは遮断すると共に、
前記積層シートの折り込みによって形成される容器の底部周縁に相当する部分の前記誘電体層には、誘電体材料により形成された補強リングが固定されており、該補強リングにより、該容器の形態が保持されることを特徴とするＩＨ調理器用発熱シート。
【請求項２】
前記補強リングには、前記第１のカットラインと交差する位置であって、且つ前記誘電体層に面する側に、溝が形成されている請求項１に記載のＩＨ調理器用発熱シート。
【請求項３】
前記積層シートの折り込みによって形成される容器の底部に相当する前記導電体層には、無端状の第２のカットラインが、該底部を中心とする同心形状に複数形成されており、且つ前記第１のカットラインが最大径の第２のカットラインの位置まで形成されており、これら第１及び第２のカットラインによりＩＨ加熱調理器の誘導加熱により生成する渦電流の誘起を分断する請求項１または２に記載のＩＨ調理器用発熱シート。
【請求項４】
前記複数の第２のカットラインの内、最小径の第２のカットラインで囲まれる領域には、ＩＨ加熱調理器の誘導加熱により生成する渦電流の誘起を低減、或いは遮断する第３のカットラインが、該第２のカットラインの位置まで形成されている請求項３に記載のＩＨ調理器用発熱シート。
【請求項５】
請求項１〜４の何れかに記載のＩＨ調理器用発熱シートと、該発熱シートにより形成される容器を保持する誘電体製の保持部材とからなり、
前記保持部材は、環状壁と、該環状壁の下端から内方に突出した周状フランジとを有しており、
該環状壁の内部に、前記発熱シートにより形成される容器が収容されて保持され、
前記発熱シートを廃棄することを特徴とするＩＨ調理器用加熱調理セット。
【請求項６】
前記保持部材の環状壁は、前記フランジが形成されている下端に向かって小径となり、且つ該環状壁の内面には、内方に突出した周状段差部が形成されている請求項５に記載のＩＨ調理器用加熱調理セット。
【請求項７】
前記環状壁の上端に把手が形成されている請求項５または６に記載のＩＨ調理器用加熱調理セット。
【請求項８】
さらに、誘電体製蓋材を有している請求項５〜７の何れかに記載のＩＨ調理器用加熱調理セット。
【発明の詳細な説明】
【技術分野】
【０００１】
本発明は、ＩＨ調理器による加熱調理に使用され、加熱調理後に廃棄されるＩＨ調理器用発熱シート及び該発熱シートを用いたＩＨ調理器用加熱調理セットに関する。
【背景技術】
【０００２】
現在、電磁調理器と称される加熱調理器が、ガスコンロなどに代わって広く普及するようになった。この電磁調理器は、ＩＨ調理器とも呼ばれ、内部に設けられた電磁誘導加熱コイルにより高周波磁界を発生させ、該調理器の上に置かれた調理用容器に、誘起された渦電流により生じるジュール熱により、調理用容器内に収容された食材或いは水等を加熱するものである。
このような電磁調理器は、炎を使わずに加熱調理できるため、安全性が高く、さらに汚れの払拭が容易であり、清潔性に優れ、さらに経済性の面でも従来の加熱調理器よりも優れている。
【０００３】
ところで、電磁調理器は、その原理上、使用できる調理用器具が限られてしまい、鉄に代表される磁性材料からなる専用器具を使用しなければならないという欠点があった。
このため、最近では、非磁性材料以外の材料からなる調理用器具、或いは調理用容器が多く提案され、実用化もされている。例えば、特許文献１や２には、アルミ箔等の金属箔からなる発熱シートをプラスチック製の容器に装着したＩＨ調理器用の加熱調理器が開示されている。
【０００４】
前記の加熱調理器は、容器内に水等や各種の食材を入れての煮炊きに好適に適用されるものであるが、発熱シートがヒートシール等により容器の底部に接着固定されているため、この発熱シートを加熱料理毎に交換する使い捨て用途には不適当であるという問題がある。
即ち、容器の底部に形成される発熱シートは、極めて安価であるため、この発熱シートを使い捨てで使用することが望まれるのであるが、これらのシートには、ＩＨ調理器を作動させての誘導加熱による過度の発熱を防止し、プラスチック製の容器の破損を防止するためにヒューズ等の機能部が形成されている。また、単に、発熱シートを、プラスチック製容器の底部に載せただけでは、しっかりと固定されず、加熱調理（煮炊き）に際して、発熱シートが動いてしまうなどの不都合を生じるため、容器の底部に接着固定する必要がある。さらに、上述したヒューズ等の機能部の形成、或いは発熱シートを、プラスチック製容器の底部に接着固定する製造工程を必要として安価に製造することが難しい。
従って、前記の加熱調理器は、使い捨て用途の容器として更なるコスト低減が望まれている。
【先行技術文献】
【特許文献】
【０００５】
【特許文献１】特開平２００９−２８５１８４号
【特許文献２】ＷＯ２０１２／１３２２８４
【発明の概要】
【発明が解決しようとする課題】
【０００６】
従って、本発明の目的は、ＩＨ調理器用の発熱シートであって、加熱調理後に廃棄される使い捨て用途のＩＨ調理器用発熱シートを提供することにある。
本発明の他の目的は、前記の発熱シートを用いたＩＨ調理器用の加熱調理セットを提供することにある。
【課題を解決するための手段】
【０００７】
本発明によれば、導電体層と誘電体層との積層構造を有する積層シートからなるＩＨ調理器用発熱シートであって、
前記積層シートは、底部と周状側壁部とを有し、且つ前記導電体層を内面とする容器形状に折り込み可能となっており、
前記積層シートを折り込んで形成される容器の前記周状側壁部に相当する部分の前記導電体層には、該容器の高さ方向に延びる第１のカットラインが、周方向に間隔を置いて複数本形成されており、該カットラインがＩＨ調理器の誘導加熱により生成する渦電流の誘起を低減、或いは遮断すると共に、
前記積層シートの折り込みによって形成される容器の底部周縁に相当する部分の前記誘電体層には、誘電体材料により形成された補強リングが固定されており、該補強リングにより、該容器の形態が保持されることを特徴とするＩＨ調理器用発熱シートが提供される。
【０００８】
本発明のＩＨ調理器用発熱シートにおいては、
（１）前記補強リングには、前記第１のカットラインと交差する位置であって、且つ前記誘電体層に面する側に溝が形成されていること、
（２）前記積層シートの折り込みによって形成される容器の底部に相当する前記導電体層には、無端状の第２のカットラインが、該底部を中心とする同心形状に複数形成されており、且つ前記第１のカットラインが最大径の第２のカットラインの位置まで形成されており、これら第１及び第２のカットラインによりＩＨ加熱調理器の誘導加熱により生成する渦電流の誘起を分断すること、
（３）前記複数の第２のカットラインの内、最小径の第２のカットラインで囲まれる領域には、ＩＨ加熱調理器の誘導加熱により生成する渦電流の誘起を低減、或いは遮断する第３のカットラインが、該第２のカットラインの位置まで形成されていること、
が好適である。
【０００９】
また、本発明によれば、前記のＩＨ調理器用発熱シートと、該発熱シートにより形成される容器を保持する誘電体製の保持部材とからなり、
前記保持部材は、環状壁と、該環状壁の下端から内方に突出した周状フランジとを有しており、
該環状壁の内部に、前記発熱シートにより形成される容器が収容されて保持され、
前記発熱シートを廃棄することを特徴とするＩＨ調理器用加熱調理セットが提供される。
【００１０】
前記のＩＨ調理器用加熱調理セットにおいては、
（１）前記保持部材の環状壁は、前記フランジが形成されている下端に向かって小径となり、且つ該環状壁の内面には、内方に突出した周状段差部が形成されていること、
（２）前記環状壁の上端に把手が形成されていること、
（３）さらに、誘電体製蓋材を有していること、
が好適である。
【発明の効果】
【００１１】
本発明のＩＨ調理器用発熱シートは、これを容器の形態に折り込んで所定の誘電体製の保持部材と共に使用されるものであるが、特に、過度な加熱を防止するヒューズ等の機能部の形成、或いは、発熱シートを、プラスチック製容器の底部に接着固定する必要が無いため、安価な使い捨て用途の発熱シートとして好適に使用される。また、前記発熱シートと誘電体製の保持部材とからなるＩＨ調理器用加熱調理セットは、該発熱シートを、この保持部材上に載置し、接着固定を不要としている。そして、加熱調理後は、この安価な発熱シートを廃棄し、次の加熱調理に際しては、新たな発熱シートを使用すればよく、極めて安価な発熱シートをまとめて販売、購入することができる。
さらに、加熱調理後は、発熱シートを廃棄し、残った保持部材を洗浄すればよく、しかも、この保持部材は、水等や食材と接触せず、その洗浄もいたって容易である。
【図面の簡単な説明】
【００１２】
【図１】本発明の発熱シートの積層構造を示す参考断面図。
【図２】本発明の発熱シートの平面図。
【図３】本発明の発熱シートの底面図。
【図４】本発明の発熱シートを載置する保持部材の半斜視図。
【図５】本発明の発熱シートを保持部材に載置する手順を示す概略断面図。
【図６】本発明の発熱シートを保持部材に載置した状態を示す半斜視図。
【図７】本発明の発熱シートを保持部材に載置して加熱調理をする状態を示す斜視図。
【図８】本発明の発熱シートの好適例の部分拡大図であり、（ａ）は参考断面図、（ｂ）は部分底面図。
【発明を実施するための形態】
【００１３】
図１〜図３に示すように、本発明のＩＨ調理用の発熱シート１は、表面に形成されている導電体層３と裏面に形成された誘電体層５とからなる積層シートから構成されている。
導電体層３は、この発熱シート１をＩＨ調理器の誘導加熱部に置くことにより、高周波磁界による誘起された渦電流によって発熱するものであり、アルミ箔に代表される金属箔により形成されるものである。
【００１４】
また、この発熱シート１は、容器の形態に折り込まれ、後述する図４〜図６に示されているように、誘電体製の保持部材３０上に載置された状態でＩＨ調理器の誘導加熱部に置かれるものである。そして、発熱シート１は、折り込まれて容器の形態を安定的に保持し、且つ発熱シート１の誘電体層５は、導電体層３とＩＨ調理器との直接の接触を防止し、その発熱を適度なものとするために形成されるものである。かかる誘電体層５は、通電しない材質であれば特に制限されず、熱可塑性樹脂や熱硬化性樹脂などの樹脂や各種セラミックス、紙材等であってよいが、一般的には、成形性、コスト、軽量性などの観点から各種樹脂、特に熱可塑性樹脂が、発熱シート１を形成する非導電性材料として使用される。
【００１５】
このような熱可塑性樹脂としては、例えば低密度ポリエチレン、高密度ポリエチレン、ポリプロピレン、ポリ１−ブテン、ポリ４−メチル−１−ペンテン、或いはα−オレフィン同志の共重合体や環状オレフィン共重合体などのオレフィン系樹脂；エチレン・酢酸ビニル共重合体、エチレン・ビニルアルコール共重合体、エチレン・塩化ビニル共重合体等のエチレン・ビニル系共重合樹脂；ポリスチレン、アクリロニトリル・スチレン共重合体、ＡＢＳ、α−メチルスチレン・スチレン共重合体等のスチレン系樹脂；ポリ塩化ビニル、ポリ塩化ビニリデン、塩化ビニル・塩化ビニリデン共重合体、ポリアクリル酸メチル、ポリメタクリル酸メチル等のビニル系樹脂；ナイロン６、ナイロン６−６、ナイロン６−１０、ナイロン１１、ナイロン１２等のアミド樹脂；ポリエチレンテレフタレート（ＰＥＴ）、ポリブチレンテレフタレート、ポリエチレンナフタレート（ＰＥＮ）等のポリエステル樹脂；ポリカーボネート樹脂；ポリフェニレンオキサイド；ポリイミド樹脂；ポリアミドイミド樹脂；ポリエーテルイミド樹脂；フッ素樹脂；アリル樹脂；ポリウレタン樹脂；セルロース樹脂；ポリスルホン樹脂；ポリエーテルスルホン樹脂；ケトン樹脂；アミノ樹脂；等を例示することができ、さらに、これらのブレンド物や、これら樹脂が適宜共重合により変性されたものであってもよいし、多層構造を有していてもよい。
特に、前記の中でもＰＥＴやＰＥＮなどのポリエステル樹脂、ポリプロピレンなどのオレフィン系樹脂、ポリカーボネート樹脂、ポリイミド樹脂が好適である。
【００１６】
前記のような誘電体層５は、この発熱シート１の大きさ等によっても異なるが、一般に、５〜８０μｍ程度の厚みを有していればよい。
【００１７】
そして、発熱シート１の導電体層３には、ＩＨ調理器の動作による誘導加熱によって誘起される渦電流を調整する種々の形態のカットライン７，１５，１７が形成されている。即ち、これらのカットラインは、誘導加熱により生成する渦電流を調整するため、導電体層３における渦電流の誘起を完全に分断し、誘電体層５を残すように線状に形成されるものであり（図１参照）、レーザー加工等の公知の手段によって形成される。
【００１８】
この発熱シート１は、通常、全体として円形であるが、折り込みにより、導電体層３側を内面とし、底部１０と周状側壁部１３とを有する形態の容器を形成し得るようになっている（図５及び図６参照）。即ち、このようにして形成される容器の大きさは、通常、家庭で煮炊きに使用される鍋と同程度である。
【００１９】
折り込みにより形成される容器の周状側壁部１３となる部分には、底部１０の中心Ｏとなる部分を起点とする放射状に延びている第１のカットライン７が適当な間隔で等間隔に多数形成されている（図２参照）。この第１のカットライン７により、折り込みによって形成された容器の周状側壁部１３を流れる渦電流の誘起を低減、或いは遮断し、周状側壁部１３の過度の発熱を防止し、適温で加熱調理（煮炊き）を行うことが可能となるばかりか、周状側壁部１３の部分に形成されている誘電体層５や該側壁部１３に接触している誘電体製の保持部材３０の加熱による損傷を有効に防止することができる。また、発熱シート１の周状側壁部１３となる部分を、例えば、ひだ折りして容器を形成することにより、容器の側壁部１３と保持部材３０との面接触を回避し、保持部材３０の加熱による損傷をより効果的に防止し、容器として安定した形態とすることができる（図６及び図７参照）。
このような第１のカットライン７は、特に制限されないが、一般に、２本以上、好ましくは３本〜４０本で、容器の形状に折り込んで加熱する際に、その容器サイズに応じて誘導加熱により生成する過電流の誘起を低減、或いは遮断できる本数を適宜選択すればよい。また、図２、図３の例では、第１のカットライン７は、放射状に延びているが、過電流の誘起を低減或いは遮断できる限りにおいて、曲線状、或いは他の形状に形成されていてもよい。
【００２０】
また、図２に示すように、このように形成される容器の底部１０となる領域には、底部中心Ｏを中心とする同心円形状の無端状の第２のカットライン１５を複数本形成することが好適である。即ち、この無端状カットライン１５により、折り込みによって形成された容器の底部１０に相当する導電体層３に流れる渦電流を各領域ごとに分断し、底部１０の過度な発熱を防止し、適温で煮炊き等の加熱調理を行う上で効果的である。このような無端状の第２のカットライン１５の数は、特に制限されないが、通常、数本でよい。
また、図２及び図３から理解されるように、前述した第１のカットライン７は、この第２のカットライン１５の最大径のカットラインの位置まで延びていることが好適である。これにより、底部１０に誘起される渦電流の側壁部１３への通電を防止することができ、側壁部１３の過度な発熱を確実に防止することができる。
【００２１】
さらに、図２に示されているように、前記の無端状の第２のカットライン１５の最小径のカットライン１５で囲まれる領域には、該第２のカットライン１５の位置まで延びる第３のカットライン１７が形成されている。即ち、この第３の遮断カットライン１７は、底部１０の中心部分に誘起される渦電流を低減、或いは遮断し、加熱調理（煮炊き）に際して、底部１０の中心部分の局部加熱による突沸を有効に防止するものである。
このような第３のカットライン１７は、誘起される渦電流を低減、或いは遮断する方向、即ち、無端状の第２のカットライン１５の位置まで延びていればよく、例えば、図２では、弧状に形成されているが、所謂クロスカットのように、直線状に形成されていてもよく、さらに、その本数も制限されない。
【００２２】
また、前述した本発明の発熱シート１においては、図３に示されているように、導電体層３の裏側に形成されている誘電体層５の表面（即ち、発熱シート１の裏面）には、折り込みによって形成される容器の底部１０の周縁に相当する部分に、補強リング２０が形成されていることが好ましい。このような補強リング２０を形成することにより、発熱シートを折り込んで形成した容器の形態を安定的に保持することができる。
【００２３】
そして、この補強リング２０は、当然、誘電体材料で形成されるが、誘電体層５に強固に接着固定するために、誘電体層５を形成する誘電体材料と同種の材料で形成するのが好適である。特に、誘電体層５がポリプロピレン等のオレフィン系樹脂で形成されている場合には、ポリプロピレン等のオレフィン系樹脂により補強リング２０を形成し、ヒートシールにより、誘電体層５の所定の部分に固定することが好ましい。
かかる補強リング２０の厚みや幅は、折り込みにより形成される容器が安定的に形態を保持し得るように適宜の範囲に設定すればよい。
【００２４】
そして、前述した発熱シート１は、図４〜図６に示す形態の保持部材３０と組み合わせで使用される。
尚、これらの図において、発熱シート１の折り込みにより形成された容器は、Ａで示されている。
【００２５】
本発明においては、前記の保持部材３０も、前述した誘電体層５や補強リング２０と同様、誘電体材料により形成される。特に、成形性等の観点から、熱可塑性樹脂から形成され、特にオレフィン系樹脂から形成され、最も好ましくはポリプロピレンにより形成される。
【００２６】
かかる保持部材３０は、上端の径が大きく、下方に向かって小径となるテーパー形状を有する環状壁３１から形成されており、環状壁３１の下端には、内方に突出した周状フランジ３３が形成されており、その上端には把手３４が形成されている。
【００２７】
本発明の発熱シート１から形成される容器Ａは、前記のような保持部材３０の環状壁３１の内部に収容され、安定的に保持された状態でＩＨ調理器による加熱調理に付されるが、この環状壁３１は、その内部に容器Ａをぴったりと収容し得る大きさに設定される。
【００２８】
また、前記の環状壁３１の内面には、適宜位置、例えば環状壁３１の高さ方向の中央部分、或いは図示しないが中央部分と上端、下端の中間部に、内方に突出した周状段差部３５が形成されていることが好適である。
即ち、図５（ａ）を参照して、発熱シート１の折り込みにより形成された容器Ａは、環状壁３１の内部に挿入されるが、空の状態では、前記の周状段差部３５で容器Ａの底部１０の周縁部近傍が引っ掛かり、下方まで落下せずに係止される。従って、この状態では、容器Ａを保持している保持部材３０がＩＨ調理器の誘導加熱部に置かれた場合にも、発熱シート１から成る容器Ａの底部１０がＩＨ調理器から遠いため発熱を生じることが無く、所謂空焚きが防止される。
【００２９】
次いで、図５（ａ）の状態で煮炊き用の水や食材などの被加熱材料５０を容器Ａ内に投入すると、その重量により容器Ａは段差部３５から落下し、その底部１０は、保持部材３０の内方フランジ３３により支持され（図５（ｂ）及び図６参照）、この状態でＩＨ加熱調理器による誘導加熱によって被加熱材料５０の加熱調理（煮炊き）が行われる。
【００３０】
尚、図５（ｂ）に示されているように、段差部３５の下方部分の環状壁３１のテーパー角θは、３０〜９０度、好適には６０〜８０度程度とすることが、被加熱材料５０が投入された容器Ａを速やかに落下せしめる上で好適である。また、図５（ａ）及び（ｂ）から理解されるように、容器Ａの底部１０に形成される補強リング２０の外径は、周状段差部３５の径よりもやや小さく設定されていることが、やはり、被加熱材料５０が投入された容器Ａを速やかに落下させる上で好適である。
【００３１】
かかる加熱調理に際しては、図７に示すように、適宜、保持部材３０と共に、蓋材４０が使用される。勿論、この蓋材４０も、保持部材３０と同様、誘電体材料、特に熱可塑性樹脂から形成される。
そして、この蓋材４０は、被加熱材料５０の加熱調理時は鍋蓋として使用されるが、加熱調理後は裏返しにして鍋敷きとして使用することができる。このように蓋材４０を鍋敷きとして使用することにより、保持部材３０の内方フランジ３３内に露出する容器Ａの底部１０（発熱シート１）の加熱調理後の熱さを封鎖することができる。また、その際、保持部材３０の内方フランジ３３内に、蓋材４０が装着可能な構成を適宜採用することにより、加熱調理後の被加熱材料が投入された容器Ａ、保持部材３０を安定した状態で載置、或いは蓋材４０を持って安定した状態で持ち運ぶことができる。例えば、図７に示す蓋材４０においては、裏返しにして下方に突出する中央部４１（符号を追加して下さい）を、保持部材３０の内方フランジ３３内に装着して鍋敷きとして使用される。
尚、図６及び図７では、容器Ａ内に投入された被加熱材料５０は省略されている。
【００３２】
前記の説明から理解されるように、保持部材３０を形成する環状壁３１の下端は底壁によって閉じられておらず、容器Ａの底部１０の周縁部分を支えるための内方フランジ３３が形成されているに過ぎない。従って、ＩＨ加熱調理器による誘導加熱により生成する渦電流の誘起によって、発熱する容器Ａの底部１０の大部分は、保持部材３０には接触しておらず、さらには、容器Ａの周状側壁部１は、第１のカットライン７を形成することにより、渦電流の誘起を低減、或いは遮断して発熱が抑えられており、保持部材３０の側壁部分が高温になることはない。従って、この容器Ａ（発熱シート１）の発熱による保持部材３０の熱変形等は有効に回避されている。
また、上述した容器Ａの底部１０の周縁部には、補強リング２０が形成されているため、煮炊き用の水等の被加熱材料５０を容器Ａ内に投入したとき、被加熱材料５０の重量によって容器Ａが窄んでしまうなどの不都合は有効に回避され、容器Ａの形態が安定的に保持される。
【００３３】
尚、上述した本発明において、容器Ａの底部１０が保持部材３０の内方フランジ３３によって保持されている状態において、補強リング２０の厚み及び内方フランジ３３の厚みが極端に厚いと、底部１０の導電体層３とＩＨ調理器の誘導加熱部との間隔が大きくなり過ぎて、渦電流が効果的に誘起されず、十分な発熱が困難となってしまう。従って、これらの厚みは、容器Ａの底部１０とＩＨ調理器の誘導加熱部との間隔が、発熱のための渦電流を効果的に誘起し得る範囲内に設定される。
【００３４】
以上、本発明の発熱シート１の形状は円形を例にとって説明したが、容器の形態に折り込むことが可能である限りにおいて、この形状は矩形状であってもよいし、底部１０に形成される無端状の第２のカットライン１５の形状も矩形状であってよく、さらに、保持部材３０の環状壁３１の平面形状も矩形状であってよい。
また、発熱シート１の保持部材３０への折り込みによる容器Ａの形成に変えて、発熱シート１に折り込み線を形成して容器Ａを形成し、この容器Ａを保持部材３０の環状壁３１の内部に収容してもよく、この場合、折り込み線を形成した発熱シート１、或いは折り込まれた容器Ａの形態で多数枚毎を、コンパクトに積み重ねた状態で販売、購入される。
【００３５】
さらに、本発明の発熱シート１においては、補強リング２０に、第１のカットライン１５と交差する位置であって、且つ誘電体層５に面する側に溝６０を形成することが好適である。
即ち、前記のような発熱シート１を、アルミ箔等の導電体シートにオレフィン系樹脂（例えばポリプロピレン）等からなる誘電体層を積層し、レーザー加工等により前述した各種のカットライン７，１５，１７を導電体層３に形成した後、真空成形、射出成形した補強リング２０を積層体の誘電体層５にヒートシールすると、前記した第１のカットライン７を形成した部位に残存する積層体の誘電体層５が損傷する。
このため、積層体の誘電体層に補強リング２０をヒートシールした後、レーザー加工等により各種のカットライン７，１５，１７を導電体層３に形成することが考えられる。しかしながら、この場合、前述したように、側壁部１３に形成される第１のカットライン７は、底部１０となる部分に形成する無端状の第２のカットライン１５の最大径のカットラインの位置まで延びて形成されるため（図２及び図３参照）、補強リング２０に導電体層３を形成する導体（例えばＡｌ）が蒸着することがある。そして、このような蒸着物はカビのような外観を呈し、この発熱シート１の商品価値を損ねてしまう。
【００３６】
本発明の加熱シートでは、前述した溝６０を補強リング２０に形成することにより、このような蒸着物の生成を有効に回避することができる。即ち、前記した蒸着物は、カットライン７をレーザー加工により形成する際に発生するＡｌ等の導体の蒸気が誘電体層５を透過し、透過した蒸気が補強リング２０によって堰き止められる結果、蒸着物として補強リング２０に付着して発生するものである。従って、補強リング２０に、カットライン７と交差する位置であって、誘電体層５に面する側に溝６０を形成することにより、カットライン７の形成に際して発生した導体蒸気は、補強リング２０により堰き止められず、速やかに流れて排出され、この結果、補強リング２０における蒸着物の生成を有効に回避することができる。
【００３７】
前述した本発明において、発熱シート１から形成される容器Ａは、保持部材３０上に置かれるだけであり、ヒートシール等により接着固定されるものではない。従って、この発熱シート１は、加熱調理後は廃棄され、次の加熱調理に際しては、新しい発熱シート１を用いて容器Ａが形成されることとなる。即ち、この発熱シート１は、前述した保持部材３０や蓋材４０などとのセットで、ＩＨ調理器で煮炊きするＩＨ調理器用加熱調理セットとして販売されるが、発熱シート１自体は加熱調理後に廃棄され、調理毎に新しいものと交換される。また、この発熱シート１は、多数枚毎にコンパクトに積み重ねて販売、購入され、簡易販売に適している。
【符号の説明】
【００３８】
１：発熱シート
３：導電体層
５：誘電体層
７：放射状カットライン
１０：底部
１３：側壁部
１５：無端状カットライン
１７：遮断カットライン
２０：補強リング
３０：保持部材
３１：環状壁
３３：内方フランジ
３５：周状段差部
Ａ：容器
【図１】
2015142703.tif 000003
【図２】
2015142703.tif 000004
【図３】
2015142703.tif 000005
【図４】
2015142703.tif 000006
【図５】
2015142703.tif 000007
【図６】
2015142703.tif 000008
【図７】
2015142703.tif 000009
【図８】
2015142703.tif 000010
【手続補正書】
【提出日】平成26年9月3日(2014.9.3)
【手続補正１】
【補正対象書類名】明細書
【補正対象項目名】００３１
【補正方法】変更
【補正の内容】
【００３１】
かかる加熱調理に際しては、図７に示すように、適宜、保持部材３０と共に、蓋材４０が使用される。勿論、この蓋材４０も、保持部材３０と同様、誘電体材料、特に熱可塑性樹脂から形成される。
そして、この蓋材４０は、被加熱材料５０の加熱調理時は鍋蓋として使用されるが、加熱調理後は裏返しにして鍋敷きとして使用することができる。このように蓋材４０を鍋敷きとして使用することにより、保持部材３０の内方フランジ３３内に露出する容器Ａの底部１０（発熱シート１）の加熱調理後の熱さを封鎖することができる。また、その際、保持部材３０の内方フランジ３３内に、蓋材４０が装着可能な構成を適宜採用することにより、加熱調理後の被加熱材料が投入された容器Ａ、保持部材３０を安定した状態で載置、或いは蓋材４０を持って安定した状態で持ち運ぶことができる。例えば、図７に示す蓋材４０においては、裏返しにして下方に突出する中央部４１を、保持部材３０の内方フランジ３３内に装着して鍋敷きとして使用される。
尚、図６及び図７では、容器Ａ内に投入された被加熱材料５０は省略されている。
【手続補正書】
【提出日】平成27年5月26日(2015.5.26)
【手続補正１】
【補正対象書類名】特許請求の範囲
【補正対象項目名】全文
【補正方法】変更
【補正の内容】
【特許請求の範囲】
【請求項１】
導電体層と誘電体層との積層シートからなるＩＨ調理器用発熱シートであって、
前記積層シートは、底部と周状側壁部とを有し、且つ前記導電体層を内面とする容器形状に折り込み可能となっており、
前記積層シートを折り込んで形成される容器の前記周状側壁部に相当する部分の前記導電体層には、該容器の高さ方向に延びる第１のカットラインが、周方向に間隔を置いて複数本形成されており、該カットラインがＩＨ調理器の誘導加熱により生成する渦電流の誘起を低減、或いは遮断すると共に、
前記積層シートの折り込みによって形成される容器の底部周縁に相当する部分の前記誘電体層には、誘電体材料により形成された補強リングが固定されており、該補強リングにより、該容器の形態が保持され、
前記補強リングには、前記第１のカットラインと交差する位置であって、且つ前記誘電体層に面する側に、溝が形成されていることを特徴とするＩＨ調理器用発熱シート。
【請求項２】
導電体層と誘電体層との積層シートからなるＩＨ調理器用発熱シートであって、
前記積層シートは、底部と周状側壁部とを有し、且つ前記導電体層を内面とする容器形状に折り込み可能となっており、
前記積層シートを折り込んで形成される容器の前記周状側壁部に相当する部分の前記導電体層には、該容器の高さ方向に延びる第１のカットラインが、周方向に間隔を置いて複数本形成されており、該カットラインがＩＨ調理器の誘導加熱により生成する渦電流の誘起を低減、或いは遮断すると共に、
前記積層シートの折り込みによって形成される容器の底部周縁に相当する部分の前記誘電体層には、誘電体材料により形成された補強リングが固定されており、該補強リングにより、該容器の形態が保持され、
前記積層シートの折り込みによって形成される容器の底部に相当する前記導電体層には、無端状の第２のカットラインが、該底部を中心とする同心形状に複数形成されており、且つ前記第１のカットラインが最大径の第２のカットラインの位置まで形成されており、
これら第１及び第２のカットラインによりＩＨ加熱調理器の誘導加熱により生成する渦電流の誘起を分断し、
前記複数の第２のカットラインの内、最小径の第２のカットラインで囲まれる領域には、ＩＨ加熱調理器の誘導加熱により生成する渦電流の誘起を低減、或いは遮断する第３のカットラインが、該第２のカットラインの位置まで形成されていることを特徴とするＩＨ調理器用発熱シート。
【請求項３】
導電体層と誘電体層との積層シートからなるＩＨ調理器用発熱シートであって、前記積層シートは、底部と周状側壁部とを有し、且つ前記導電体層を内面とする容器形状に折り込み可能となっており、
前記積層シートを折り込んで形成される容器の前記周状側壁部に相当する部分の前記導電体層には、該容器の高さ方向に延びる第１のカットラインが、周方向に間隔を置いて複数本形成されており、該カットラインがＩＨ調理器の誘導加熱により生成する渦電流の誘起を低減、或いは遮断すると共に、
前記積層シートの折り込みによって形成される容器の底部周縁に相当する部分の前記誘電体層には、誘電体材料により形成された補強リングが固定されており、該補強リングにより、該容器の形態が保持されたＩＨ調理器用発熱シートと、
該発熱シートにより形成される容器を保持する誘電体製の保持部材とからなり、
前記保持部材は、環状壁と、該環状壁の下端から内方に突出した周状フランジとを有しており、
前記保持部材の環状壁は、前記フランジが形成されている下端に向かって小径となり、
且つ該環状壁の内面には、内方に突出した周状段差部が形成され、
該環状壁の内部に、前記発熱シートにより形成される容器が収容されて保持され、
前記発熱シートを廃棄することを特徴とするＩＨ調理器用加熱調理セット。
【請求項４】
前記環状壁の上端に把手が形成されている請求項３に記載のＩＨ調理器用加熱調理セット。
【請求項５】
さらに、誘電体製蓋材を有している請求項３または４に記載のＩＨ調理器用加熱調理セット。
【手続補正２】
【補正対象書類名】明細書
【補正対象項目名】０００７
【補正方法】変更
【補正の内容】
【０００７】
本発明によれば、導電体層と誘電体層との積層シートからなるＩＨ調理器用発熱シートであって、
前記積層シートは、底部と周状側壁部とを有し、且つ前記導電体層を内面とする容器形状に折り込み可能となっており、
前記積層シートを折り込んで形成される容器の前記周状側壁部に相当する部分の前記導電体層には、該容器の高さ方向に延びる第１のカットラインが、周方向に間隔を置いて複数本形成されており、該カットラインがＩＨ調理器の誘導加熱により生成する渦電流の誘起を低減、或いは遮断すると共に、
前記積層シートの折り込みによって形成される容器の底部周縁に相当する部分の前記誘電体層には、誘電体材料により形成された補強リングが固定されており、該補強リングにより、該容器の形態が保持され、
前記補強リングには、前記第１のカットラインと交差する位置であって、且つ前記誘電体層に面する側に、溝が形成されていることを特徴とするＩＨ調理器用発熱シートが提供される。
【手続補正３】
【補正対象書類名】明細書
【補正対象項目名】０００８
【補正方法】変更
【補正の内容】
【０００８】
本発明によれば、また、
導電体層と誘電体層との積層シートからなるＩＨ調理器用発熱シートであって、
前記積層シートは、底部と周状側壁部とを有し、且つ前記導電体層を内面とする容器形状に折り込み可能となっており、
前記積層シートを折り込んで形成される容器の前記周状側壁部に相当する部分の前記導電体層には、該容器の高さ方向に延びる第１のカットラインが、周方向に間隔を置いて複数本形成されており、該カットラインがＩＨ調理器の誘導加熱により生成する渦電流の誘起を低減、或いは遮断すると共に、
前記積層シートの折り込みによって形成される容器の底部周縁に相当する部分の前記誘電体層には、誘電体材料により形成された補強リングが固定されており、該補強リングにより、該容器の形態が保持され、
前記積層シートの折り込みによって形成される容器の底部に相当する前記導電体層には、無端状の第２のカットラインが、該底部を中心とする同心形状に複数形成されており、且つ前記第１のカットラインが最大径の第２のカットラインの位置まで形成されており、これら第１及び第２のカットラインによりＩＨ加熱調理器の誘導加熱により生成する渦電流の誘起を分断し、
前記複数の第２のカットラインの内、最小径の第２のカットラインで囲まれる領域には、ＩＨ加熱調理器の誘導加熱により生成する渦電流の誘起を低減、或いは遮断する第３のカットラインが、該第２のカットラインの位置まで形成されていることを特徴とするＩＨ調理器用発熱シートが提供される。
【手続補正４】
【補正対象書類名】明細書
【補正対象項目名】０００９
【補正方法】変更
【補正の内容】
【０００９】
また、本発明によれば、
導電体層と誘電体層との積層シートからなるＩＨ調理器用発熱シートであって、前記積層シートは、底部と周状側壁部とを有し、且つ前記導電体層を内面とする容器形状に折り込み可能となっており、
前記積層シートを折り込んで形成される容器の前記周状側壁部に相当する部分の前記導電体層には、該容器の高さ方向に延びる第１のカットラインが、周方向に間隔を置いて複数本形成されており、該カットラインがＩＨ調理器の誘導加熱により生成する渦電流の誘起を低減、或いは遮断すると共に、
前記積層シートの折り込みによって形成される容器の底部周縁に相当する部分の前記誘電体層には、誘電体材料により形成された補強リングが固定されており、該補強リングにより、該容器の形態が保持されたＩＨ調理器用発熱シートと、
該発熱シートにより形成される容器を保持する誘電体製の保持部材とからなり、
前記保持部材は、環状壁と、該環状壁の下端から内方に突出した周状フランジとを有しており、
前記保持部材の環状壁は、前記フランジが形成されている下端に向かって小径となり、
且つ該環状壁の内面には、内方に突出した周状段差部が形成され、
該環状壁の内部に、前記発熱シートにより形成される容器が収容されて保持され、
前記発熱シートを廃棄することを特徴とするＩＨ調理器用加熱調理セットが提供される。
【手続補正５】
【補正対象書類名】明細書
【補正対象項目名】００１０
【補正方法】変更
【補正の内容】
【００１０】
前記のＩＨ調理器用加熱調理セットにおいては、
（１）前記環状壁の上端に把手が形成されていること、
（２）さらに、誘電体製蓋材を有していること、
が好適である。